(57)【要約】【課題】バッテリポストに対してバッテリ端子が回転することを防ぐ。【解決手段】本発明は、バッテリポスト１３に巻き付く抱持部２２と抱持部２２に一体に設けられた端子主体部２１とを有するバッテリ端子２０と、端子主体部２１に貫通するボルト軸部３０Ｂとボルト頭部３０Ａとを有し、端子主体部２１に対して回転可能に設けられたスタッドボルト３０と、スタッドボルト３０のボルト軸部３０Ｂが挿通するボルト挿通孔４２を有し、電線の端末部に接続された電線端子４０と、電線端子４０に設けられ、スタッドボルト３０のボルト頭部３０Ａに接してその回り止めをする回り止め部４３とを備えた構成としたところに特徴を有する。【選択図】図４
2010238524.tif 000002
【特許請求の範囲】
【請求項１】
バッテリポストに巻き付く抱持部と前記抱持部に一体に設けられた端子主体部とを有するバッテリ端子と、
電線の端末部に接続された電線端子と、
前記バッテリ端子および前記電線端子のいずれか一方に設けられ、ボルト軸部とボルト頭部とを有するスタッドボルトを支持するボルト支持部と、
同他方に設けられ、前記ボルト軸部に挿通して前記スタッドボルトに締結されることにより、前記バッテリ端子と前記電線端子とを接続するボルト挿通孔と、
前記電線端子に設けられ、前記スタッドボルトの前記ボルト頭部に接してその回り止めをする回り止め部とを備えたバッテリへの端子接続構造。
【請求項２】
前記ボルト支持部は、前記バッテリ端子と一体に設けられており、前記ボルト挿通孔は、前記電線端子と一体に設けられていることを特徴とする請求項１に記載のバッテリへの端子接続構造。
【請求項３】
前記ボルト支持部は、前記電線端子と一体に設けられており、前記ボルト挿通孔は、前記バッテリ端子と一体に設けられていることを特徴とする請求項１に記載のバッテリへの端子接続構造。
【請求項４】
前記回り止め部は、前記電線端子の一部を曲げ加工することによって形成したことを特徴とする請求項２または請求項３に記載のバッテリへの端子接続構造。
【請求項５】
前記ボルト挿通孔は、円孔によって構成されていることを特徴とする請求項１ないし請求項４のいずれか一項に記載のバッテリへの端子接続構造。
【請求項６】
前記ボルト挿通孔は、略Ｕ字状をなして一端側が開口した孔によって構成されていることを特徴とする請求項１ないし請求項４のいずれか一項に記載のバッテリへの端子接続構造。
【請求項７】
バッテリポストに巻き付く抱持部と前記抱持部に一体に設けられた端子主体部とを有するバッテリ端子と、
電線の端末部に接続された電線端子と、
バッテリに設けられ、ボルト軸部とボルト頭部とを有するスタッドボルトを回転不能に支持する回り止め部と、
前記ボルト軸部に挿通して前記スタッドボルトに締結されることにより、前記バッテリ端子と前記電線端子とを互いに接続する一対のボルト挿通孔とを備えたバッテリへの端子接続構造。
【発明の詳細な説明】
【技術分野】
【０００１】
本発明は、バッテリへの端子接続構造に関する。
【背景技術】
【０００２】
従来、バッテリへの端子接続構造の一例として、下記特許文献１に記載されたものが知られている。この端子接続構造について、図１２を参照しながら具体的に説明する。バッテリ１の上面１Ｂには、円錐台形状のバッテリポスト１Ａが上方に突出して設置されている。バッテリポスト１Ａに対してバッテリ端子２が接続され、このバッテリ端子２に対して電線端子４が接続されている。電線端子４は、電線（図示せず）の端末部に接続されている。
【０００３】
バッテリ端子２には、バッテリポスト１Ａに巻き付いて接続される抱持部２Ａが設けられ、抱持部２Ａの下端からバッテリ１の上面１Ｂに沿って端子主体部２Ｂが延出されている。スタッドボルト３は、端子主体部２Ｂに貫通するボルト軸部３Ｂとボルト頭部３Ａとを有している。端子主体部２Ｂの延出端部は、上方に曲げられて手前側に折り返されており、この折り返し端部は、ボルト頭部３Ａに接してその回り止めを行う回り止め部２Ｃとされている。
【０００４】
電線端子４は、スタッドボルト３のボルト軸部３Ｂに挿通されるボルト挿通孔４Ａを有し、ボルト挿通孔４Ａをボルト軸部３Ｂに挿通させた後に、ボルト軸部３Ｂに螺合したナット５を工具で締め付けることによって電線端子４がスタッドボルト３に固定されるようになっている。
【先行技術文献】
【特許文献】
【０００５】
【特許文献１】特開２００６−３３８９９９号公報
【発明の概要】
【発明が解決しようとする課題】
【０００６】
しかしながら、工具でナット５を強く締め付けると、ナット５の締め付け力、すなわち回転トルクがスタッドボルト３のボルト頭部３Ａを介して回り止め部２Ｃに伝わり、図１３に示すように、バッテリ端子２がバッテリポスト１Ａを回転軸として回転してしまう。ここで、バッテリポスト１Ａの上面側が次第に小径となっており、バッテリポスト１Ａの外周面がテーパ状の傾斜面となっているため、抱持部２Ａが回転方向に移動しつつバッテリポスト１Ａから外れる方向に移動してしまう。したがって、バッテリポスト１Ａと抱持部２Ａとの接続状態が不安定になり、接触抵抗が増加する。かといって、バッテリポスト１Ａに対する抱持部２Ａの締め付け力が強すぎると、抱持部２Ａがバッテリポスト１Ａから外れずに回転してしまい、バッテリポスト１Ａがねじられて破損することも考えられる。
【０００７】
本発明は上記のような事情に基づいて完成されたものであって、バッテリポストに対してバッテリ端子が回転することを防ぐことを目的とする。
【課題を解決するための手段】
【０００８】
本発明のバッテリへの端子接続構造は、バッテリポストに巻き付く抱持部と抱持部に一体に設けられた端子主体部とを有するバッテリ端子と、電線の端末部に接続された電線端子と、バッテリ端子および電線端子のいずれか一方に設けられ、ボルト軸部とボルト頭部とを有するスタッドボルトを支持するボルト支持部と、同他方に設けられ、ボルト軸部に挿通してスタッドボルトに締結されることにより、バッテリ端子と電線端子とを接続するボルト挿通孔と、電線端子に設けられ、スタッドボルトのボルト頭部に接してその回り止めをする回り止め部とを備えた構成としたところに特徴を有する。
【０００９】
このような構成によると、スタッドボルトのボルト軸部にボルト挿通孔を挿通した上で、ボルト軸部にナットを螺合して締結するときに、回転トルクがスタッドボルトのボルト頭部を介して回り止め部に伝わるものの、この回り止め部は電線端子に設けられているため、回転トルクがバッテリ端子に伝わることがない。このため、バッテリ端子がバッテリポストに対して回転することを防ぐことができる。したがって、バッテリポストとバッテリ端子の間における接触抵抗を増加させることがなく、バッテリポストを破損することがない。
【００１０】
本発明の実施の態様として、以下の構成が好ましい。
ボルト支持部は、バッテリ端子と一体に設けられており、ボルト挿通孔は、電線端子と一体に設けられている構成としてもよい。
このような構成によると、電線端子をバッテリ端子に組み付けることによってスタッドボルトの回り止めができる。
【００１１】
ボルト支持部は、電線端子と一体に設けられており、ボルト挿通孔は、バッテリ端子と一体に設けられている構成としてもよい。
このような構成によると、電線端子自体でスタッドボルトを回り止めできる。したがって、電線端子のバッテリ端子に対する組み付け精度に影響を受けることがない。
【００１２】
回り止め部は、電線端子の一部を曲げ加工することによって形成した構成としてもよい。
このような構成によると、回り止め部を簡易に形成することができる。
【００１３】
ボルト挿通孔は、円孔によって構成してもよい。
このような構成によると、ボルト挿通孔がスタッドボルトのボルト軸部に対して径方向に引っ張られてもボルト挿通孔がボルト軸部から外れることがない。
【００１４】
ボルト挿通孔は、略Ｕ字状をなして一端側が開口した孔によって構成してもよい。
このような構成によると、ボルト挿通孔をスタッドボルトのボルト軸部に対して径方向から差し込むことによりボルト挿通孔をボルト軸部に嵌めることができるため、ボルト挿通孔をボルト軸部に装着しやすい。
【００１５】
また、本発明のバッテリへの端子接続構造は、バッテリポストに巻き付く抱持部と抱持部に一体に設けられた端子主体部とを有するバッテリ端子と、電線の端末部に接続された電線端子と、バッテリに設けられ、ボルト軸部とボルト頭部とを有するスタッドボルトを回転不能に支持する回り止め部と、ボルト軸部に挿通してスタッドボルトに締結されることにより、バッテリ端子と電線端子とを互いに接続する一対のボルト挿通孔とを備えた構成としてもよい。
【００１６】
このような構成によると、バッテリに設けた回り止め部によってスタッドボルトが回転不能に支持されているから、回転トルクがスタッドボルトに伝わってもスタッドボルトが回転することはなく、当然のことながらバッテリ端子が回転することもない。したがって、バッテリポストとバッテリ端子の間における接触抵抗を増加させることがなく、バッテリポストを破損することがない。
【発明の効果】
【００１７】
本発明によれば、バッテリポストに対してバッテリ端子が回転することを防ぐことができる。
【図面の簡単な説明】
【００１８】
【図１】実施形態１におけるバッテリへの端子接続構造を示す分解斜視図
【図２】バッテリへの端子接続構造を示す平面図
【図３】バッテリへの端子接続構造を示す正面図
【図４】図２のＡ−Ａ線断面図
【図５】バッテリへの端子接続構造を示す側面図
【図６】電線端子の斜視図
【図７】実施形態２における電線端子の斜視図
【図８】実施形態３におけるバッテリへの端子接続構造を示す正面図
【図９】図８における回り止め機構の内部構造を示す断面図
【図１０】実施形態４における電線端子を締結する前の状態を示す一部切り欠き正面図
【図１１】図１０における電線端子を締結した後の状態を示す一部切り欠き正面図
【図１２】従来の端子接続構造を示す断面図
【図１３】従来の端子接続構造においてバッテリポストに対してバッテリ端子が回転する様子を示した平面図
【発明を実施するための形態】
【００１９】
＜実施形態１＞
本発明の実施形態１を図１ないし図６の図面を参照しながら説明する。本実施形態のバッテリへの端子接続構造は、自動車に搭載されたバッテリ１０に対し、バッテリ端子２０を介して電線端子４０が接続された場合を例示している。
【００２０】
バッテリ１０は、図１に示すように、略箱形をなすバッテリ本体１１の上面１２に、一対のバッテリポスト１３が立てられた構造である。バッテリポスト１３は、鉛などにより上面側が次第に小径となった円錐台状に形成されている。また、バッテリポスト１３は、図２に示すように、上記したバッテリ本体１１の上面１２における一縁辺から所定寸法内方に入った位置に設けられている。また、バッテリポスト１３は、図１および図３に示すように、バッテリ本体１１の上面１２において台座１４に載せられた形態で設けられている。このバッテリポスト１３に、バッテリ端子２０が接続されるようになっている。
【００２１】
バッテリ端子２０は、図４に示すように、導電性に優れた厚肉の金属板をプレス加工などすることによって形成された端子主体部２１を有している。端子主体部２１の一端側には、バッテリポスト１３に接続される抱持部２２が形成されており、同他端側には、電線端子４０を固定するためのスタッドボルト３０が立設されている。スタッドボルト３０には、電流センサ（図示せず）を内蔵したブラケット（図示せず）が取り付け可能とされている。電線端子４０は、前記ブラケットに差し込まれた状態でスタッドボルト３０に取り付けられる。
【００２２】
抱持部２２は、バッテリポスト１３の外周面に沿って外嵌される締付輪２３と、締付輪２３の一側を開口してその開口縁から互いに対向するように延出された一対の延出板２４とからなる。締付輪２３は、自然状態ではバッテリポスト１３に対して遊嵌可能な径寸法を有している。一対の延出板２４に、締付ボルト２５が貫通して装着されており、一方の延出板２４から突出した締付ボルト２５の軸部に締付ナット２６が螺合されている。締付ボルト２５の締め込み量を調整することで両延出板２４の間隔が増減され、ひいては締付輪２３の径が増減される（縮径または拡径される）ようになっている。締付ボルト２５の締付量を調整することによって、バッテリポスト１３と抱持部２２を所望の保持力でもって接続状態に保持可能とされている。
【００２３】
締付輪２３の下縁部には、図２に示すように、フランジ部２８が形成され、各フランジ部２８には、位置決め凹部２９が切り欠き形成されている。一方、上記したバッテリポスト１３の台座１４には、図３に示すように、各位置決め凹部２９に嵌る突部１５が形成されている。両位置決め凹部２９を対応する突部１５に嵌めることにより、バッテリ端子２０をバッテリ本体１１の上面１２に載置する場合の位置決めと、回り止めとが図られるようになっている。
【００２４】
スタッドボルト３０は、図１ないし図３に示すように、前後の面（上記した抱持部２２と対向した面とその反対側の面）が開口した扁平な箱部（本発明の「ボルト支持部」の一例）３１によって回転可能に支持されている。スタッドボルト３０は、図４に示すように、ボルト頭部３０Ａとボルト軸部３０Ｂとを有している。ボルト頭部３０Ａは平面方形に形成され、箱部３１内に収容されている。一方、ボルト軸部３０Ｂは、箱部３１の上面部を構成する上板３１Ｕに貫通形成された固定孔３２を貫通して上方に突出されている。なお、以下の説明においては、箱部３１の開口方向を前後方向とし、抱持部２２と対向する側を前側とする。
【００２５】
電線端子４０は、図６に示すように、導電性に優れた金属板をプレス加工して形成されている。電線端子４０は、電線Ｗの端末部に接続されるものであって、全体としてＬ形に形成されている。電線端子４０の水平部分は、箱部３１の上板３１Ｕ上に載せられて固定される端子接続部４１となっている。一方、電線端子４０の垂下部分は、電線Ｗの端末部に接続される電線接続部４７となっている。
【００２６】
端子接続部４１は前後方向に長い帯状をなし、先端縁が半円形状に形成されている。端子接続部４１の先端部における半円の中心となる位置には、スタッドボルト３０のボルト軸部３０Ｂを挿通可能なボルト挿通孔４２が形成されている。ボルト挿通孔４２は、円孔によって構成されている。一方、電線接続部４７は、端子接続部４１の半分近くの長さを有している。電線接続部４７の両側縁には、電線Ｗの端末部に圧着される一対のバレル４８が設けられている。
【００２７】
端子接続部４１の中央部には、回り止め部４３が設けられている。回り止め部４３は、端子接続部４１の一部を打ち抜いて、かつ、曲げ加工することによって形成されている。回り止め部４３は、図４に示すように、切り起こし形成する際の打ち抜き孔４４の前縁から下方に延びた後に、その下端部から前方に延びる形態をなしている。ボルト挿通孔４２にスタッドボルト３０のボルト軸部３０Ｂを貫通して装着することにより、回り止め部４３の先端縁４３Ａがボルト頭部３０Ａの一辺に接触し、スタッドボルト３０が回り止めされる。すなわち、スタッドボルト３０のボルト軸部３０Ｂは、回り止めされた状態で固定孔３２から上方に立てられた状態となる。なお、端子接続部４１と回り止め部４３とによって上下に挟まれた位置に、上板３１Ｕの後端部が配置される。
【００２８】
スタッドボルト３０のボルト軸部３０Ｂには、図４に示すように、ボルト挿通孔４２の孔縁部上に載置されたワッシャ４５が挿通され、そのワッシャ４５上に固定ナット４６が螺合されている。固定ナット４６を工具で締め付けていくと、ワッシャ４５、端子接続部４１、および上板３１Ｕが、固定ナット４６の下面とスタッドボルト３０のボルト頭部３０Ａの上面との間で挟持され、電線端子４０がスタッドボルト３０に対して電気的に接続された状態で締結される。このとき、固定ナット４６の締め付け力、すなわち回転トルクが発生し、この回転トルクがスタッドボルト３０のボルト頭部３０Ａを介して回り止め部４３に伝わり、図４に示すように、ボルト軸部３０Ｂを回転軸として電線端子４０を回転させる方向に作用する。しかし、電線端子４０には、大電流に対応した太物の電線Ｗが接続されており、この電線Ｗには所定のテンションがかかっているため、電線端子４０の回転が阻止される。電線Ｗのテンションが不足している場合には、作業者が電線Ｗを手で押さえるなどして、電線端子４０の回転を阻止すればよい。仮に、電線端子４０がわずかに回転した場合であっても、回転トルクがバッテリ端子２０に伝わることはなく、バッテリ端子２０がバッテリポスト１３を回動軸として回動することはないため、バッテリポスト１３と抱持部２２との接続状態を保持することができ、接触抵抗の増加を回避できる。この結果、バッテリポスト１３に過大な力が伝わらないため、バッテリポスト１３の破損を防ぐことができる。
【００２９】
本実施形態は以上のような構造であって、続いてその作用を説明する。まず、バッテリ１０に対してバッテリ端子２０を接続する場合について説明する。バッテリ端子２０の締付輪２３をバッテリポスト１３に嵌め、フランジ部２８の位置決め凹部２９を台座１４の突部１５に嵌めることによって、バッテリ端子２０の位置決めがなされる。次に、締付輪２３の延出板２４に装着された締付ボルト２５と締付ナット２６とが適宜の工具で締め付けられることにより、締付輪２３が縮径されてバッテリポスト１３を挟持し、抱持部２２がバッテリポスト１３に対して接続された状態に保持される。これにより、バッテリ端子２０は、バッテリ本体１１の上面１２の所定位置に回り止めされた状態で装着される。
【００３０】
この状態から、電線Ｗの端末部に接続された電線端子４０は、端子接続部４１をバッテリポスト１３に向けた姿勢で、ボルト挿通孔４２をスタッドボルト３０のボルト軸部３０Ｂに通しつつ、端子接続部４１の下面が箱部３１の上板３１Ｕの上面に当てられる。この際、端子接続部４１の回り止め部４３は、箱部３１の後方から差し込まれて、スタッドボルト３０のボルト頭部３０Ａの一辺に当てられる。
【００３１】
次に、スタッドボルト３０のボルト軸部３０Ｂの上端に固定ナット４６が螺合されて、トルクレンチなどの工具により締め付けられる。固定ナット４６の締め付けが進むと、端子接続部４１の下面が箱部３１の上板３１Ｕの上面に押圧され、これらの接続が完了する。なお、ボルト挿通孔４２は円孔であるため、スタッドボルト３０のボルト軸部３０Ｂから電線端子４０が外れることはない。
【００３２】
ここで、例えばトルクレンチの設定を誤るなどして固定ナット４６に過大なトルクがかかった場合には、回転トルクがスタッドボルト３０のボルト軸部３０Ｂに伝えられ、ボルト頭部３０Ａから回り止め部４３に伝わることが考えられる。しかし、この場合であっても、せいぜい電線端子４０が回転するのみであって、バッテリ端子２０までもが回転することはない。したがって、バッテリ端子２０の抱持部２２とバッテリポスト１３との接続状態が緩むなどして接触抵抗が増加することはない。
【００３３】
以上のように本実施形態では、スタッドボルト３０の回り止めを行う回り止め部４３を電線端子４０に設けたから、固定ナット４６の締め付け力がスタッドボルト３０に伝わって、回転トルクが電線端子４０に伝えられる。このため、電線端子４０が回転する可能性はあっても、バッテリ端子２０が回転することはない。よって、バッテリポスト１３と抱持部２２の接続状態を保持することができる。さらに、バッテリポスト１３の破損を防ぐこともできる。また、回り止め部４３を曲げ加工によって形成したから、簡易な構成で回り止め部４３を形成できる。また、ボルト挿通孔４２を円孔によって構成したから、電線端子４０がスタッドボルト３０のボルト軸部３０Ｂから外れることがない。
【００３４】
＜実施形態２＞
次に、本発明の実施形態２を図７の図面を参照しながら説明する。本実施形態の電線端子５０は、実施形態１における電線端子４０の端子接続部４１の構造を一部変更したものである。このため、実施形態１と同じ構成、作用、および効果についてはその説明を省略するものとする。本実施形態の電線端子５０の端子接続部５１は、実施形態１と同様に、前後方向に長い帯状をなし、先端縁が半円形状に形成されている。端子接続部５１の先端部は、一対の接続片５２，５２に分岐されており、両接続片５２，５２の間に、略Ｕ字状をなすボルト挿通孔５３が形成されている。このボルト挿通孔５３は、先端側が前方に開口している。
【００３５】
このような構成によると、ボルト挿通孔５３をスタッドボルト３０のボルト軸部３０Ｂに対して軸方向上方から嵌め込む必要がなく、一対の接続片５２をスタッドボルト３０のボルト軸部３０Ｂに対して径方向から差し込むことによってボルト挿通孔５３をボルト軸部３０Ｂに装着することができる。また、ボルト頭部３０Ａが箱部３１の奥の方に配置されている場合であっても、一対の接続片５２，５２を箱部３１の後方から差し込めばよいから、電線端子５０をスタッドボルト３０に対して容易に装着することができる。
【００３６】
＜実施形態３＞
次に、本発明の実施形態３を図８および図９の図面を参照しながら説明する。本実施形態では、スタッドボルト３０がバッテリ端子に設けられておらず、スタッドボルト３０が電線端子に設けられている点において、実施形態１および２とは異なっている。このため、実施形態１と同じ構成、作用、および効果についてはその説明を省略するものとする。
【００３７】
本実施形態の電線端子６０は、図８に示すように、スタッドボルト３０が立設された箱部６１を一体に備えている。一方、バッテリ端子７０は、実施形態１とは異なる端子主体部７１を備えている。この端子主体部７１は、箱部３１の前端で上方に立ち上げられ、その上端部から箱部６１の上板６１Ｕに沿って後方に延出されている。
【００３８】
電線端子６０の箱部６１の内部には、図９に示すように、箱部６１の下板６１Ｄの前端部分を後方に折り返すことによって回り止め部６２が形成されている。回り止め部６２は、箱部６１の前端開口付近に配置され、スタッドボルト３０のボルト頭部３０Ａの一辺に接触可能とされている。これにより、スタッドボルト３０が回り止めされている。また、スタッドボルト３０のボルト軸部３０Ｂは、箱部６１の上板６１Ｕに形成された固定孔６３を貫通して上方に突出している。このボルト軸部３０Ｂには、ワッシャ一体型の固定ナット６４が螺合している。
【００３９】
バッテリ端子７０の端子主体部７１は、実施形態２の端子接続部５１と同様に、一対の接続片７２からなる端子接続部を有している。両接続片７２，７２の間に、略Ｕ字状をなすボルト挿通孔７３が形成されている。このボルト挿通孔７３は、先端側が後方に開口している。このため、スタッドボルト３０のボルト軸部３０Ｂを、両接続片７２，７２間に後方から差し込むことによって装着することができる。この後、固定ナット６４を締め込んでいくと、固定ナット６４の下面とボルト頭部３０Ａの上面との間に、両接続片７２，７２と上板６１Ｕとが挟持され、電気的に接続された状態で締結される。
【００４０】
ここで、固定ナット６４に過大なトルクがかかった場合には、回転トルクがスタッドボルト３０のボルト軸部３０Ｂに伝えられ、ボルト頭部３０Ａから回り止め部６２に伝わるため、バッテリ端子７０が回転することはない。したがって、バッテリ端子７０がバッテリポスト１３の上方に滑ったり、あるいは、バッテリポスト１３が破損するようなことはない。
【００４１】
＜実施形態４＞
次に、本発明の実施形態４を図１０および図１１の図面を参照しながら説明する。電線端子８０は、図１０に示すように、バッテリ１０の上面に沿って配置される端子接続部８２を有し、端子接続部８２の前端部には、円孔のボルト挿通孔８１が形成されている。一方、バッテリ端子９０の端子主体部９１は、抱持部９２の下端部からバッテリ１０の上面に沿って後方に延出されており、端子主体部９１には、円孔のボルト挿通孔９３が形成されている。
【００４２】
スタッドボルト３０は、そのボルト頭部３０Ａおよびボルト軸部３０Ｂの下端部をバッテリ本体（本発明の「回り止め部」の一例）１１に埋設することにより、ボルト軸部３０Ｂの上端部がバッテリ１０の上面１２から上方に突出する形態で設けられている。このため、スタッドボルト３０は、バッテリ本体１１に対して回転不能に支持されている。
【００４３】
電線端子８０およびバッテリ端子９０の組み付けは、まず、バッテリ端子９０の抱持部９２をバッテリポスト１０に挿通させるとともに、ボルト挿通孔９３をスタッドボルト３０に挿通させる。つまり、抱持部９２の軸心とボルト挿通孔９３の軸心との距離は、バッテリポスト１３の軸心とスタッドボルト３０の軸心との距離に一致している。締付ボルト９４および締付ナット９５による締め付けに伴って抱持部９２を縮径させてバッテリポスト１３に固定する。
【００４４】
次に、電線端子８０のボルト挿通孔８１をスタッドボルト３０のボルト軸部３０Ｂに挿通した後に、固定ナット８３をボルト軸部３０Ｂに螺合させる。さらに固定ナット８３を工具などで締め込んでいくと、両ボルト挿通孔８１，９３の開口縁部同士を、固定ナット８３の下面とバッテリ１０の上面１２との間に挟持することができ、電線端子８０とバッテリ端子９０とが電気的に接続された状態で締結される。
【００４５】
ここで、固定ナット８３に過大なトルクがかかった場合には、回転トルクがスタッドボルト３０のボルト軸部３０Ｂに伝えられ、ボルト頭部３０Ａからバッテリ本体１１に伝わるため、バッテリ端子９０が回転することはない。したがって、バッテリ端子９０がバッテリポスト１３の上方に滑ったり、あるいは、バッテリポスト１３が破損するようなことはない。
【００４６】
＜他の実施形態＞
本発明は上記記述及び図面によって説明した実施形態に限定されるものではなく、例えば次のような実施形態も本発明の技術的範囲に含まれる。
（１）上記実施形態１ないし３では回り止め部４３，５４，６２を曲げ加工によって形成しているものの、本発明によると、回り止め部を切り起こし、叩き出しなどによって形成してもよいし、あるいは、電線端子４０，５０，６０と別体で形成された回り止め部を電線端子４０，５０，６０に後付けしてもよい。
【００４７】
（２）上記実施形態１ないし３では回り止め部４３，５４，６２をスタッドボルト３０のボルト頭部３０Ａの一辺に接触させているものの、本発明によると、ボルト頭部３０Ａの対向する二片に接触可能な回り止め部を形成してもよい。
【００４８】
（３）上記実施形態１および４では円孔のボルト挿通孔４２，８１，９３としているものの、本発明によると、外周が閉じた孔であれば孔の形状は問わず、例えば角孔のボルト挿通孔としてもよい。
【００４９】
（４）上記実施形態２および３では一対の接続片５２，７２によって前方に開口したボルト挿通孔５３，７３としているものの、本発明によると、Ｌ形をなす接続片の先端部が側方に開口したボルト挿通孔としてもよい。
【００５０】
（５）上記実施形態３では回り止め部５４が端子接続部５１の前端部に形成されているものの、本発明によると、回り止め部５４が端子接続部５１の側端部に形成されており、ボルト頭部３０Ａの一辺に側方から接触する構成としてもよい。
【００５１】
（６）上記実施形態４ではスタッドボルト３０がバッテリ本体１１に埋設されているものの、本発明によると、スタッドボルト３０の回り止めを行う回り止め部を別途形成しておき、この回り止め部をバッテリ本体１１に取り付けてもよい。
【符号の説明】
【００５２】
１０…バッテリ
１１…バッテリ本体（回り止め部）
１３…バッテリポスト
２０，７０，９０…バッテリ端子
２１…端子主体部
２２，９２…抱持部
３０…スタッドボルト
３０Ａ…ボルト頭部
３０Ｂ…ボルト軸部
４０，５０，６０，８０…電線端子
４２，５３，７３，８１…ボルト挿通孔
４３，５４，６２…回り止め部
Ｗ…電線
【図１】
2010238524.tif 000003
【図２】
2010238524.tif 000004
【図３】
2010238524.tif 000005
【図４】
2010238524.tif 000006
【図５】
2010238524.tif 000007
【図６】
2010238524.tif 000008
【図７】
2010238524.tif 000009
【図８】
2010238524.tif 000010
【図９】
2010238524.tif 000011
【図１０】
2010238524.tif 000012
【図１１】
2010238524.tif 000013
【図１２】
2010238524.tif 000014
【図１３】
2010238524.tif 000015